(57)【要約】【課題】車両走行時にウォッシャ液をフロントウインドウガラスの上部領域に到達させることができる車両の前部構造を提供すること。【解決手段】車両前部に設けられたフロントウインドウガラス２０及びフロントフード６０の間に設けられ、車幅方向に延びる凹状部３２を有するカウル部３０と、該カウル部に配置されて前記フロントウインドウガラスにウォッシャ液を噴射する一つ又は複数のウォッシャノズル４４−１，４４−２と、を備えた車両の前部構造において、前記カウル部は、前記凹状部に立設された車両の前後方向に延びる複数の板状部材５０−１〜５０−４を有し、前記複数の板状部材は、前記一つ又は複数のウォッシャノズルの設置領域に対して車幅方向の両外側に配置される。【選択図】図１
2018165079.tif 000002
【特許請求の範囲】
【請求項１】
車両前部に設けられたフロントウインドウガラス及びフロントフードの間に設けられ、車幅方向に延びる凹状部を有するカウル部と、
該カウル部に配置されて前記フロントウインドウガラスにウォッシャ液を噴射する一つ又は複数のウォッシャノズルと、を備えた車両の前部構造において、
前記カウル部は、前記凹状部に立設された車両の前後方向に延びる複数の板状部材を有し、
前記複数の板状部材は、前記一つ又は複数のウォッシャノズルの設置領域に対して車幅方向の両外側に配置されることを特徴とする車両の前部構造。
【請求項２】
前記一つ又は複数のウォッシャノズルは、前記複数の板状部材のいずれよりも車幅方向中央側にあることを特徴とする請求項１に記載の車両の前部構造。
【請求項３】
前記ウォッシャノズルの設置領域に最も近接する車幅方向の左右一対の板状部材は、それぞれ、前記ウォッシャノズルと近接して配置されることを特徴とする請求項１または２に記載の車両の前部構造。
【請求項４】
前記左右一対の板状部材の車幅方向内側面に、前記ウォッシャノズルが一体的に形成されることを特徴とする請求項３に記載の前記車両の前部構造。
【発明の詳細な説明】
【技術分野】
【０００１】
本発明は、車両の前部構造に関し、特に、フロントウインドウガラス及びフロントフードの間に設けられたカウル部にウォッシャ液を噴射するウォッシャノズルを設けた車両の前部構造に関する。
【背景技術】
【０００２】
車両の前部には、通常、フロントウインドウガラスの外表面に付着した汚れをふき取る際に、フロントウインドウガラスにウォッシャ液を噴射させるウォッシャノズルが設けられている。
【０００３】
例えば、特許文献１には、車両のフロントウインドウガラスとフロントフードとの間に、車幅方向に延びる凹状のカウル部を設置し、このカウル部の内部にウォッシャノズルを配置した車両の前部構造が記載されている。この前部構造では、ウォッシャ液の噴射範囲の広さが異なる複数のウォッシャノズルを組み合わせて配置することにより、必要とされる範囲に十分な量のウォッシャ液を供給できるようにしている。
【先行技術文献】
【特許文献】
【０００４】
【特許文献１】特開２０１３−２０８９９２号公報
【発明の概要】
【発明が解決しようとする課題】
【０００５】
しかしながら、特許文献１に記載の車両の前部構造の場合、図５に示すように、車両の走行時にフロントフード１６０側からフロントウインドウガラス１２０側へ向かう走行風がカウル部１３０内へ流入して内部で渦流が発生することにより、走行時にウォッシャノズル１４４−１，１４４−２から噴出されるウォッシャ液が所要の領域に十分に供給されなくなるという問題がある。
【０００６】
例えば、雪道や高速道路の走行時などには、車両の近隣を走行する大型車両のタイヤからの跳ね上げなどによって、走行中にフロントウインドウガラスに汚れが付着することがある。この様な場合、運転者は、走行中にウォッシャ液を噴射させて、フロントウインドウガラスに付着した汚れをふき取る操作を行う必要が生じる。この際、凹状に形成されたカウル部の内部には、前方から走行風が入り込むことによって渦流が発生しており、この渦流によって、ウォッシャ液が車幅方向へ分散し、適切な範囲にウォッシャを供給することができない事態が生じてしまう。
【０００７】
カウル部内に発生する渦流を低減させるために、従来、カウル部の凹状の空間内に、前後方向に延びる板状部材を多数設けて、カウル部内の空間を仕切る対策がなされている。
【０００８】
しかしながら、板状部材によって渦流を低減できるものの、板状部材によって発生した気流によって、ウォッシャノズルからの噴射液が分断され、ウォッシャ液をフロントウインドウガラスの上部領域まで到達させることができなくなるという問題があった。
【０００９】
本発明は、上記課題に鑑みてなされたものであり、その目的は、車両走行時にウォッシャ液をフロントウインドウガラスの上部領域に到達させることができる車両の前部構造を提供することにある。
【課題を解決するための手段】
【００１０】
上記目的を達成するための請求項１に記載の車両の前部構造は、車両前部に設けられたフロントウインドウガラス及びフロントフードの間に設けられ、車幅方向に延びる凹状部を有するカウル部と、該カウル部に配置されて前記フロントウインドウガラスにウォッシャ液を噴射する一つ又は複数のウォッシャノズルと、を備えた車両の前部構造において、前記カウル部は、前記凹状部に立設された車両の前後方向に延びる複数の板状部材を有し、前記複数の板状部材は、前記一つ又は複数のウォッシャノズルの設置領域に対して車幅方向の両外側に配置されることを特徴とする。
【００１１】
この構成によれば、カウル部に複数の板状部材が立設されることにより、車両の走行時には、走行風によりフロントフード側からカウル部の板状部材の間を通ってフロントウインドウガラスの上方へ向かう気流が生じる。複数の板状部材は、ウォッシャノズルの設置領域に対して車幅方向の両外側に配置されているので、ウォッシャノズルの設置領域では、板状部材によって気流が分断されることがなく、噴射されたウォッシャ液をウォッシャノズルの設置領域の車幅方向両外側に配置された２つの板状部材の間を通る気流によって、フロントウインドウガラスの上部領域まで到達させることができる。これにより、車両走行時にウォッシャ液を所要の領域に十分に供給することが可能となる。
【００１２】
請求項２に記載の発明は、請求項１に記載の車両の前部構造において、前記一つ又は複数のウォッシャノズルは、前記複数の板状部材のいずれよりも車幅方向中央側にあることを特徴とする。
【００１３】
この構成によれば、車両の走行時にフロントフードからカウル部内へ入る空気流は、主にフロントフードの車幅方向中央部領域からカウル部へ流入するので、走行時にウォッシャノズルの設置領域を通ってフロントウインドウガラスへ向かう空気流量を多くしてウォッシャ液の噴出性能を高めることができる。
【００１４】
請求項３に記載の発明は、請求項１または２に記載の車両の前部構造において、前記ウォッシャノズルの設置領域に最も近接する車幅方向の左右一対の板状部材は、それぞれ、前記ウォッシャノズルと近接して配置されることを特徴とする。
【００１５】
この構成によれば、板状部材とウォッシャノズルとが近接して配置されているので、車両走行時にウォッシャ液を板状部材の部分で発生する気流の影響を的確に活用して、ウォッシャ液を噴射させることが可能となる。すなわち、ウォッシャ液を気流に乗せやすくなり、走行時におけるウォッシャ液の噴射範囲の設定をより的確なものにすることができる。
【００１６】
請求項４に記載の発明は、請求項３に記載の車両の前部構造において、前記車幅方向の左右一対の板状部材の車幅方向内側面に、前記ウォッシャノズルが一体的に形成されることを特徴とする。
【００１７】
この構成によれば、板状部材によって生じる気流を有効活用できるだけでなく、板状部材自体の方向付けによってウォッシャ液の噴射方向を調節することができるので、ウォッシャ液の噴射範囲をより的確なものにすることができる。さらに、板状部材とウォッシャノズルとが一体化されることで、部品点数を低減することができる。
【発明の効果】
【００１８】
本発明によれば、カウル部内に板状部材が立設され、且つ、カウル部内のウォッシャノズルの全てが車幅方向において隣り合う２つの板状部材の間に配置されていることで、車両走行時にウォッシャ液を気流によって分断させることなく、フロントウインドウガラスの上部領域に到達させることができる。
【図面の簡単な説明】
【００１９】
【図１】本発明の実施の形態に係る車両の前部構造の平面図。
【図２】図１のＩＩ−ＩＩ線断面図。
【図３】板状部材及びウォッシャノズルの変形例を示す平面図。
【図４】板状部材を有する従来の車両の前部構造の平面図。
【図５】従来の車両の前部構造の平面図。
【発明を実施するための形態】
【００２０】
本発明の実施の形態に係る車両の前部構造について、図１及び図２を参照して詳細に説明する。図１は本実施の形態に係る車両の前部構造の平面図、図２は図１のＩＩ−ＩＩ線断面図である。各図において、Ｆｔは車両前方を示し、Ｙ−Ｙ線は車両の車幅方向中央線を示す。
【００２１】
図１及び図２に示すように、車両の前部構造１０は、フロントウインドウガラス２０と、フロントウインドウガラス２０とフロントフード６０と間に位置するカウル部３０と、フロントウインドウガラス２０を洗浄するウォッシャ装置４０と、カウル部３０に立設された複数の板状部材５０とを備える。
【００２２】
フロントウインドウガラス２０は、車室４の前方側に設けられ、例えば、２次元曲面を有する合わせガラスや強化ガラス等によって形成される。車室４においてフロントウインドウガラス２０の内面側には一対の撮像手段６ａ及び６ｂが車幅方向中央線（Ｙ−Ｙ線）を挟んで左右に配置される。撮像手段６ａ，６ｂとしては、例えば、ステレオカメラを用いることができる。
【００２３】
カウル部３０は、図示しないフロントフェンダ間に渡設されて車幅方向に延在する。カウル部３０は、屈曲された板状の部材によって形成されており、図２に示すように車両の下方側に窪んだ凹状部３２を有する。凹状部３２は車幅方向に延設されている。図示例の凹状部３２は、断面略Ｖ字状に形成されているが、形状はこれに限られず、例えば、断面略Ｕ字状であってもよい。
【００２４】
ウォッシャ装置４０は、フロントウインドウガラス２０の汚れを拭き取るワイパアーム４２ａ，４２ｂと、一つ又は複数のウォッシャノズル４４を備える。本実施の形態では２つのウォッシャノズル４４−１，４４−２を備えており、２つのウォッシャノズル４４−１，４４−２は、車幅方向中央線を挟んで車幅方向の左右にほぼ対称に設けられている。
【００２５】
ワイパアーム４２ａ，４２ｂ及び各ウォッシャノズル４４−１，４４−２は、それぞれ、カウル部３０の凹状部３２に設置される。なお、図２では、車両の前後方向においてウォッシャノズル４４が配置される位置を仮想線で示している。
【００２６】
ウォッシャノズル４４は、凹状部３２を形成するフロントフード６０側の側壁３２ａに取付けられ、車両の後方かつ斜め上方に向かって開口する噴出口４５する。ウォッシャノズル４４は、ウォッシャ液を貯留する図示しないタンクに接続され、ポンプによりフロントウインドウガラス２０の外表面にウォッシャ液を噴射する。
【００２７】
板状部材５０は、カウル部３０の凹状部３２において、上方へ突出するように複数立設される。各板状部材５０−１〜５０−ｎは車両の前後方向に延びている。図１に示すように、複数の板状部材５０は、複数のウォッシャノズル４４の設置領域に対して車幅方向の両外側に配置されており、ウォッシャノズル４４の設置領域内（すなわち、車幅方向において隣り合う各ウォッシャノズル４４−１，４４−２の間）には配置されていない。本実施の形態では、板状部材５０がウォッシャノズル４４の設置領域よりも車幅方向両外側にそれぞれ２つずつ、合計４つの板状部材５０−１〜５０−４を設けている。なお、板状部材５０は、ウォッシャノズル４４の設置領域の車幅方向両外側に、それぞれ一つ以上設置されていればよく、車幅方向両外側に多数配置されていてもよい。さらに、本実施の形態では、複数のウォッシャノズル４４−１，４４−２の全てが、複数の板状部材５０−１〜５０−４のいずれよりも車幅方向中央側に位置している。
【００２８】
また、複数の板状部材５０のうち、ウォッシャノズル４４の設置領域に最も近接する車幅方向の左右一対の板状部材５０−１，５０−２のそれぞれは、これと隣り合うウォッシャノズル４４−１，４４−２のそれぞれと近接して配置される。本実施の形態では、ウォッシャノズル４４−１と板状部材５０−１が、車幅方向に間隔を空けつつ、近接して配置されており、同様に、ウォッシャノズル４４−２と板状部材５０−２の間が近接して配置されている。ウォッシャノズル４４−１と板状部材５０−１の距離、及びウォッシャノズル４４−２と板状部材５０−２の距離は、例えば、５ｃｍ以内に設定されている。
【００２９】
左右一対の板状部材５０−１及び５０−２は、図１に示すように、前端から後端に移行するに連れて車幅方向外側へ漸次移行するように、車両の平面視でハの字状となる態様で設置されている。図示例では、一対の板状部材５０−１，５０−２よりも車幅方向外側に位置する板状部材５０−３，５０−４が、それぞれ車幅方向中央線とほぼ平行に延びている。
【００３０】
なお、本実施の形態では、一対の板状部材５０−１，５０−２が車幅方向中央線に対して左右対称に設置されているが、これらは線対称となる形状でなくてもよい。例えば、一方の板状部材５０−１が車幅方向中央線と平行に延び、他方の板状部材が車幅方向中央線に対して傾斜していてもよい。また、２つの板状部材５０−１，５０−２間の中央位置は、車幅方向中央線よりも左方側又は右方側にずれていてもよい。
【００３１】
図１に示すように本実施の形態では、一対の板状部材５０−１及び５０−２が、車幅方向において一対の撮像手段６ａ及び６ｂよりも内側に配置されている。また、板状部材５０−１及び５０−２の延在方向の範囲内に撮像手段６ａ及び６ｂが配置されている。なお、全ての板状部材５０が撮像手段６ａ及び６ｂの車幅方向両外側に配置される構成であってもよい。
【００３２】
なお、板状部材５０は、カウル部３０の凹状部３２を仕切ることでフロントフード２０側からカウル部３０に侵入する空気流がカウル部３０内で乱流となって車幅方向に流れていくことを遮り、フロントウインドウガラス２０方向へと整流する。このカウル部３０に侵入する空気流の整流効果が発揮できるのであれば、板状部材５０は凹状部３２を完全に仕切る必要は無い。
【００３３】
例えば、図２に示すように、カウル部３０におけるワイパアーム４２ａ，４２ｂ及びワイパーブレード４３を収容する領域は板状部材３２により仕切られておらず、また、凹状部３２の底部３２ｂにおいては板状部材５０に切欠部５０ａが設けられていてもよい。
【００３４】
この切欠部５０ａにより、カウル部３０の底部３２ｂに溜まった雨水等の車幅方向外方への移動が許容される。
【００３５】
上述した車両の前部構造１０では、図１に示すように、車両前方からの走行風がカウル部３０に立設された複数の板状部材５０によって整流され、カウル部３０に発生する渦流を低減することができる。整流された走行風は各板状部材５０の間を通ってフロントウインドウガラス２０の下方から上方へ向かって流れ、一対の板状部材５０−１及び５０−２の間では、主に板状部材５０−１及び５０−２の延在方向を示す破線Ｅ１及びＥ２の領域内を走行風がフロントウインドウガラス２０の下方から上方に向かって流れる。これにより、ウォッシャノズル４４から噴射されたウォッシャ液は、一対の板状部材５０−１及び５０−２の間を通る気流（図１において実線矢印１００で示す気流）に乗ってフロントウインドウガラス２０の上部領域まで供給される。
【００３６】
また、ウォッシャノズル４４の配置領域内には、板状部材５０が配置されていないので、板状部材５０によって生じる気流によってウォッシャ液が分断されることがない。図４に示すように、ウォッシャノズル１４４−１，１４４−２の設置領域内に板状部材１５０−１，１５０−２が配置されている場合には、車両の走行時に板状部材１５０−１及び１５０−２の間を流れる気流１０１によって、破線矢印１０２で示すように噴射したウォッシャ液が分断され、噴射性能が低下することがある。
【００３７】
本実施の形態の前部構造１０では、ウォッシャノズル４０の配置領域に板状部材５０が配置されないことで、図１に示すように、板状部材５０によって生じる気流によってウォッシャ液が分断されることがない。その結果、車両走行中のウォッシャ液の噴射能力を向上することができる。さらに、板状部材５０−１，５０−２とウォッシャノズル４４−１，４４−２とが互いに近接して配置されているので、板状部材５０−１，５０−２の部分で発生する気流の影響を的確に活用して、ウォッシャ液を噴射させることが可能である。
【００３８】
また、走行風は、主にフロントフード６０の車幅方向中央部領域からカウル部３０へ流入するが、全てのウォッシャノズル４４が板状部材５０よりも車幅方向中央部側に位置しているので、中央部領域を通る気流を活用してウォッシャ液の噴出性能を高めることができる。
【００３９】
さらに、一対の板状部材５０−１，５０−２の車幅方向両外側にも板状部材５０−３，５０−４を配置することで、カウル部３０内に生じた乱流が車幅方向に流れていくことをより確実に遮ることができる。なお、一対の板状部材５０−１，５０−２に近接してこれと隣り合う板状部材５０−３，５０−４を配置することで乱流の遮断効果を高めることができる。
【００４０】
図３は、板状部材５０及びウォッシャノズル４４の変形例を示す平面図である。なお、図３において、上述の図１及び図２に示した実施の形態と同様の要素には、同一の符号を付し、その説明を省略する。
【００４１】
変形例では、カウル部３０内に３つのウォッシャノズル４４−１〜４４−３が配置されており、ウォッシャノズル４４の設置領域（カウル部３０内の車幅方向においてウォッシャノズル４４−１及び４４−２で挟まれた領域）の車幅方向両外側に、それぞれ３つの板状部材５０が配置されている。
【００４２】
ウォッシャノズル４４の設置領域において、最も車幅方向両外側に位置するウォッシャノズル４４−１及び４４−２は、それぞれ、一対の板状部材５０−１，５０−２の車幅方向内側面５３に一体的に形成されている。板状部材５０−１及び５０−２は、それぞれ、ウォッシャノズル４４−１，４４−２の噴出口４５よりも車両後方まで延びている。また、ウォッシャノズル４４−１及び４４−２の噴出口４５は、板状部材５０−１及び５０−２の延在方向に向かって開口している。なお、ウォッシャノズル４４−３は、車幅方向中央部に位置している。
【００４３】
図３に示す車両の前部構造１０では、車両の走行中にウォッシャ液を噴出する際に、一対の板状部材５０−１及び５０−２によって生じる気流を有効活用して、各ウォッシャノズル４４−１〜４４−３からの噴出液をフロントウインドウガラス２０の上部領域へ供給することができるとともに、板状部材５０−１及び５０−２自体の方向付けによって、特にウォッシャノズル４４−１及び４４−２からのウォッシャ液の噴射方向を調節することができる。これにより、ウォッシャ液の噴射範囲をより的確なものにすることができる。
【００４４】
さらに、板状部材５０−１及び５０−２のそれぞれとウォッシャノズル４４−１及び４４−２のそれぞれとが一体化されることで、部品点数を低減することができる。変形例のようにウォッシャノズル４４を複数設置したり、板状部材５０を多数設置したりする場合には、このようにウォッシャノズル４４及び板状部材５０の一部を一体化することで、カウル部３０内の整流効果やウォッシャ液の噴出性能を高めながら、部品点数の増加を抑えることができるので好適である。
【００４５】
なお、本発明は上述した実施の形態及び変形例に限定されるものではなく、発明の趣旨を逸脱しない範囲で種々の変更が可能である。
【００４６】
例えば、カウル部３０内に設置されるウォッシャノズル４４は一つであってもよい。この場合、このウォッシャノズル４４の車幅方向両外側に配置される一対の板状部材５０−１，５０−２は、ウォッシャノズル４４と間隔を空けた状態で、近接配置されることが好ましい。
【符号の説明】
【００４７】
１０  車両の前部構造
２０  フロントウインドウガラス
３０  カウル部
３２  凹状部
４０−１〜４０−３  ウォッシャノズル
５０−１〜５０−４  板状部材
６０  フロントフード
【図１】
2018165079.tif 000003
【図２】
2018165079.tif 000004
【図３】
2018165079.tif 000005
【図４】
2018165079.tif 000006
【図５】
2018165079.tif 000007